(57)【要約】【課題】圧接スリットに接続される撚り線に局所的に負担がかかることがなく、電線の絶縁被覆に傷が付きにくいモジュラジャックを提供する。【解決手段】ハウジング１に結合された端子台２の上面の左右両側部には上面からの突出寸法が端子板２４よりも大きい複数の保護壁２３が前後方向に並んで突設され、端子板２４は、前後に隣り合う保護壁２３の間に圧接スリット２４ａを対応させるように配置されている。保護壁２３のうち、対の電線５，５が接続される２つの端子板２４，２４の間に立設された保護壁２３ａの上端部近傍を、上端がなだらかな略楕円錘曲面からなる楕円形状を基礎にした形状に形成し、保護壁２３ａが電線５，５の撚り線の間（撚り部）５ａに挿通することで、端子板２４の圧接スリット２４ａに各電線５を導き、圧接スリット２４ａに電線５を圧入する。【選択図】        図１
2004327335.tif 000002
【特許請求の範囲】
【請求項１】
モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、側壁から上端へ向かって先細りとなるよう傾斜するとともに周方向に略曲面を成すテーパ面を形成し、前記突部の上端を前記撚り線の電線間の撚り部に挿通させて前記テーパ面によって前記撚り部を広げることを特徴とするモジュラジャック。
【請求項２】
モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、側壁から上端へ向かって先細りとなるよう傾斜するとともに周方向に略曲面を成すテーパ面を形成し、前記突部の上端を前記撚り線の電線間の撚り部に挿通させて前記テーパ面によって前記撚り部を広げて、前記テーパ面の曲面部分は少なくとも、前記撚り部を広げるときに電線が接触する部位に設けて成ることを特徴とするモジュラジャック。
【請求項３】
前記突部のテーパ面を形成した部位は、端子板に接続した電線の配設方向を長手方向とした形状に形成されることを特徴とする請求項１または２記載のモジュラジャック。
【請求項４】
モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、端子板に接続した電線の配設方向の両端と上端とを結ぶ稜線を形成し、前記稜線から側壁に向かって傾斜するとともに周方向に略曲面を成すテーパ面を形成し、前記突部の上端を前記撚り線の電線間の撚り部に挿通させて前記テーパ面によって前記撚り部を広げることを特徴とするモジュラジャック。
【請求項５】
前記略曲面は、複数の平面を並設することで曲面に近似させた面であることを特徴とする請求項１乃至４いずれか記載のモジュラジャック。
【請求項６】
モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、側壁から上端へ向かって先細りとなるよう傾斜した３つのテーパ面を形成し、前記突部の上端を前記撚り線の電線間の撚り部に挿通させて前記テーパ面によって前記撚り部を広げることを特徴とするモジュラジャック。
【請求項７】
前記突部の上端の位置は、突部の中心軸からずらした位置に形成することを特徴とする請求項１乃至６いずれか記載のモジュラジャック。
【発明の詳細な説明】
【０００１】
【発明の属する技術分野】
本発明は、圧接スリットを有する端子板を備え絶縁被覆電線である電線を端子板の圧接スリットに押し込んで接続するようにしたモジュラジャックに関するものである。
【０００２】
【従来の技術】
従来、通信ケーブルを相互に接続する、あるいは他の装置に接続するためにモジュラジャックが用いられている。ところで、モジュラジャックはモジュラプラグが着脱自在に挿入されるプラグ挿入口を備えたハウジングを有し、ハウジング内にはプラグ挿入口を通してハウジングに挿入されたモジュラプラグの接触子に接触可能なコンタクトが配列されている。また、撚った２本の絶縁被覆電線の対を備えたツイストペア線のような電線と接続するための端子台がハウジングに結合され、コンタクトと端子台の端子板とは電気的に接続されている。端子板としては上縁に開放された圧接スリットを有する二股のフォーク状に形成され、電線を端子板の圧接スリットに圧入する際に端子板の圧接スリットの両側縁で電線の絶縁被覆を剥ぎながら芯線を挟み込む形式の圧接形の端子板が結線の容易さから多用されている。（例えば、特許文献１参照。）
ここで、図１９および図２０に示すように、ハウジング１に結合した端子台２において端子板２４が突出した面から端子板２４を保護する多数の保護壁２３を立設し、並設された保護壁２３間に圧接スリット２４ａを対応させるように端子板２４を配置しているのであって、撚り線を端子板２４に接続するときは、対になっている各電線を互いに並設された端子板２４に接続する。このとき撚り線の各電線の間（撚り部）に端子板２４の間に立設した保護壁２３ａを挿通させることで、端子板２４の圧接スリット２４ａに各電線を導き、圧接スリット２４ａに電線を圧入するようになっている。なお、圧接スリット２４ａの幅は接続する電線の芯線に圧接スリット２４ａの両側縁が圧接する程度に設定されている。
【０００３】
しかしこの撚り線は、情報用配線の高速対応化が進むにつれ、電線の撚りがきつくなってきた。すると上記従来例１では保護壁２３ａが上端部を略平面状に形成した略直方体であるため、撚り線の撚りを戻してからでないと、撚り部に保護壁２３ａを挿通させることができず、電線を圧接スリット２４ａに圧入することができなかった。
【０００４】
そこで従来例２として、撚りがきつい撚り線であっても、撚りを戻すことなく電線を圧接スリットに圧入できるモジュラジャックが提供された。図２１に斜視図を示すこのモジュラジャックの保護壁２３ａの上端部近傍は、図２２に示すように４面テーパ形状であり、左右両側方向と前後方向の４面に鋭利な上端（頂部）２３ｃから下方に向かう４つのテーパ面２３ｒ，２３ｓ，２３ｔ，２３ｕを形成している。したがって撚りがきつい撚り線であっても図２２，図２３に示すように、電線５の撚り部５ａを保護壁２３ａの上端２３ｃに挿通させて（図２２の破線Ａ１１）保護壁２３ａの上端２３ｃに当て押えれば、撚り部５ａが広がり（図２２の破線Ａ１２）、図２３に示すように撚り部５ａを保護壁２３ａに挿通させることができる。
【０００５】
また、図２１〜図２３では保護壁２３ａの上端２３ｃのテーパ面２３ｒ，２３ｓ，２３ｔ，２３ｕを左右両側方向と前後方向に面した４面としているが、従来例３として図２４に示すように４つのテーパ面の境界を左右両側方向と前後方向に向けているものもある。
【０００６】
【特許文献１】
特開平５−１３１２５号公報（３頁右欄第９行〜第２６行、図１）
【０００７】
【発明が解決しようとする課題】
上記従来例２，３では、撚りがきつい撚り線であっても、撚りを戻すことなく電線５を圧接スリット２４ａに圧入できるが、４つのテーパ面２３ｒ，２３ｓ，２３ｔ，２３ｕの互いの境界部Ｂが角状になっており、図２２では境界部Ｂ１１，Ｂ１２、図２５では境界部Ｂ１３に接した電線５の絶縁被覆の４箇所に負担がかかって傷が付き（図２６の箇所Ｅ参照）、破れる恐れがあった。
【０００８】
本発明は、上記事由に鑑みてなされたものであり、その目的は、圧接スリットに接続される撚り線に局所的に負担がかかることがなく、電線の絶縁被覆に傷が付きにくいモジュラジャックを提供することにある。
【０００９】
【課題を解決するための手段】
請求項１の発明は、モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、側壁から上端へ向かって先細りとなるよう傾斜するとともに周方向に略曲面を成すテーパ面を形成し、前記突部の上端を前記撚り線の電線間の撚り部に挿通させて前記テーパ面によって前記撚り部を広げることを特徴とする。
【００１０】
請求項２の発明は、モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、側壁から上端へ向かって先細りとなるよう傾斜するとともに周方向に略曲面を成すテーパ面を形成し、前記突部の上端を前記撚り線の電線間の撚り部に挿通させて前記テーパ面によって前記撚り部を広げて、前記テーパ面の曲面部分は少なくとも、前記撚り部を広げるときに電線が接触する部位に設けて成ることを特徴とする。
【００１１】
請求項３の発明は、請求項１または２において、前記突部のテーパ面を形成した部位は、端子板に接続した電線の配設方向を長手方向とした形状に形成されることを特徴とする。
【００１２】
請求項４の発明は、モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、端子板に接続した電線の配設方向の両端と上端とを結ぶ稜線を形成し、前記稜線から側壁に向かって傾斜するとともに周方向に略曲面を成すテーパ面を形成し、前記突部の上端を前記撚り線の電線間の撚り部に挿通させて前記テーパ面によって前記撚り部を広げることを特徴とする。
【００１３】
請求項５の発明は、請求項１乃至４いずれかにおいて、前記略曲面は、複数の平面を並設することで曲面に近似させた面であることを特徴とする。
【００１４】
請求項６の発明は、モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに一対の絶縁被覆電線を撚った撚り線の各芯線が上端縁の開放された圧接スリットに接続される複数の端子板が立設された端子台と、対となる電線が各々接続して互いに並設された端子板の間で端子台から立設した突部とを備え、前記突部は、側壁から上端へ向かって先細りとなるよう傾斜した３つのテーパ面を形成し、前記突部の上端を前記撚り線の電線間の撚り部に挿通させて前記テーパ面によって前記撚り部を広げることを特徴とする。
【００１５】
請求項７の発明は、請求項１乃至６いずれかにおいて、前記突部の上端の位置は、突部の中心軸からずらした位置に形成することを特徴とする。
【００１６】
【発明の実施の形態】
以下、本発明の実施の形態を図面に基づいて説明する。
【００１７】
（実施形態１）
以下、本実施形態のモジュラジャックについて図１および図２を参照しながら説明するが、従来例と同様の構成要素には同一の符号を付して説明する。
【００１８】
本実施形態のモジュラジャックは、モジュラプラグを挿入するプラグ挿入口１１ａが開口するハウジング１と、プラグ挿入口１１ａの中に配列されモジュラプラグの接触子に接触可能な複数本（本実施形態では８本）の線状のコンタクト１３（図３参照）と、各コンタクト１３にそれぞれ電気的に接続されるとともに絶縁被覆電線である電線が接続される複数枚（本実施形態では８枚）の端子板２４（図２０参照）が立設されハウジング１に結合された端子台２とを備えている。
【００１９】
ハウジング１は、絶縁性を有する合成樹脂により形成されており、直方体状の接続台１１を備え、接続台１１の一面に上記プラグ挿入口１１ａが開口する。以下では、接続台１１においてプラグ挿入口１１ａが開口する面を前面とし、図１における上下方向を用いて上下方向を規定する。接続台１１の後面下部からは端子台２を結合する基台１２が後方へ連続一体に突設されている。
【００２０】
端子台２は基台１２の上面側に配設されており、各端子板２４は端子台２の上面から突出している。ここに、８枚の端子板２４は端子台２の左右両側部において４個ずつ前後方向に沿って配置されている。また、各端子板２４は上縁に開放された圧接スリット２４ａを有する二股のフォーク状に形成されており、厚み方向が端子台２の左右方向に一致するように配置されている。なお、圧接スリット２４ａの幅は接続する電線５の芯線に圧接スリット２４ａの両側縁が圧接する程度に設定されている。したがって、絶縁被覆を有する電線５を上方から圧接スリット２４ａに圧入すると、電線５の絶縁被覆が圧接スリット２４ａの両側縁で切られ、圧接スリット２４ａの中で芯線が端子板２４に圧接するのである。
【００２１】
ところで、端子台２の上面の左右両側部には上面からの突出寸法が端子板２４よりも大きい複数の保護壁２３が前後方向に並んで突設されている。ここに、端子板２４は、前後に隣り合う保護壁２３の間に圧接スリット２４ａを対応させるように配置されている。なお、前後方向に隣り合う各一対の保護壁２３の互いの対向面には、端子板２４を保持する保持溝２３ｂが上下方向に沿って形成されている。
【００２２】
このモジュラジャックに接続するツイストペアケーブル４は、一対の絶縁被覆電線５，５を撚った撚り線を４組備えており、電線５，５の撚り線の対は、端子台２の左右両側部で前側または後側に並設されたいずれか２つの端子板２４，２４に接続される。このとき上記保護壁２３のうち、対の電線５，５が接続される２つの端子板２４，２４の間に立設された保護壁２３ａが、電線５，５の撚り線の間（撚り部）５ａに挿通することで、端子板２４の圧接スリット２４ａに各電線５を導き、圧接スリット２４ａに電線５を圧入するようになっている。
【００２３】
電線５，５の撚り部５ａ（図４参照）は、楕円形状あるいは図５に示すまぶた形状となっており、保護壁２３ａは撚り部５ａに挿通したとき、図６に示すようにこの撚り部５ａを矢印方向に自然に広げていく形状であれば電線５の絶縁被覆に傷が付き難くなる。
【００２４】
すなわち、保護壁２３ａを、側壁２３ｊから上端２３ｃへ先細りとなるよう傾斜するとともに周方向に略曲面を成すテーパ面を有する形状に形成すればよい。（図７（ａ），（ｂ），（ｃ）参照）
そこで本実施形態では図７（ａ），（ｂ），（ｃ）に示すように、保護壁２３ａを左右両側方向を長手方向とし前後方向を短手方向とする壁体に形成し、撚り部５ａに挿通する際に電線５が接触するその上端部近傍を、略楕円錘曲面のテーパ面２３ｄからなる楕円形状を基礎にした形状に形成している。そして図８に示すように、保護壁２３ａの上端２３ｃを撚り部５ａに挿通させて（破線Ａ１）撚り部５ａを保護壁２３ａの略楕円錘曲面のテーパ面２３ｄに当て押えれば、電線５が接触する箇所には角がないので撚り部５ａには局所的に負担がかかることなくテーパ面２３ｄに沿って自然に広がり（破線Ａ２）、絶縁被覆に傷が付くことなく撚り部５ａを保護壁２３ａの下方へ移動させることができる。
【００２５】
また、前後に隣り合う保護壁２３，２３ａの間の隙間の寸法は、電線５を挿入できるように寸法を設定してある。ただし、保護壁２３，２３ａ間の隙間の寸法は圧接スリット２４ａの幅寸法に比べて広く、しかも、保護壁２３，２３ａの上端部では上部ほど隙間の寸法を広くするように傾斜した傾斜面が形成されており、ツイストペアケーブル４の電線５を保護壁２３，２３ａの間の隙間に導入しやすくなっている。このように、本実施形態における保護壁２３，２３ａは、端子板２４を保護する保護部材として機能するだけではなく、端子板２４の圧接スリット２４ａに電線５を導くガイド部材としても機能する。また、前後方向の真ん中に位置する各保護壁２３の前後方向の幅寸法は、他の保護壁２３，２３ａの前後方向の幅寸法に比べて大きく設定してある。
【００２６】
さらに、端子台２の上面には、図１，図２に示すように、左右方向の中央部にツイストペアケーブル４のシース４ａを位置決めする位置決め凹部２２が形成されており、前後方向における１番後の左右の保護壁２３における互いの対向面には、位置決め凹部２２との間にツイストペアケーブル４を保持する保持突起２６がそれぞれ突設されている。なお、保持突起２６間の寸法は４対８芯のツイストペアケーブル４のシース４ａの外径寸法よりもやや小さく設定されている。
【００２７】
したがって、４対８芯のツイストペアケーブル４のシース４ａを端子台２の上方から位置決め凹部２２に導入すればシース４ａの一部が保持突起２６により押圧されて凹み、位置決め凹部２２の内底面と一対の保持突起２６との間にツイストペアケーブル４を挟持して保持することができ、ツイストペアケーブル４の各電線５を端子板２４の圧接スリット２４ａに圧入すれば、電線５と端子板２４とが電気的に接続される。
【００２８】
また、端子台２の前後方向における真ん中の各保護壁２３の外側面には図示しない保護キャップを結合するための結合爪２７が突設されており、保護キャップを着脱可能に結合することができる。
【００２９】
（実施形態２）
本実施形態のモジュラジャックは、保護壁２３ａの上端部近傍をいわゆるまぶた形状に形成したものである。ここでまぶた形状とは図９（ａ），（ｂ），（ｃ）に示すように、撚り部５ａに挿通する際に電線５が接触する保護壁２３ａの上端部近傍を、長手方向（電線の配設方向）の両端の各中央と上端２３ｃとを結ぶ稜線２３ｅから下方の側壁２３ｊに向かって傾斜して周方向に曲面を成すテーパ面２３ｄに形成したものである。さらに稜線２３ｅは略中央に上端２３ｃを形成している。そして図１０に示すように、保護壁２３ａの上端２３ｃを撚り部５ａに挿通させて（破線Ａ１）撚り部５ａを保護壁２３ａのテーパ面２３ｄに当て押えれば、電線５が接触する箇所には角がないので撚り部５ａには局所的に負担がかかることなくテーパ面２３ｄの表面に沿って自然に広がり（破線Ａ２）、絶縁被覆に傷が付くことなく撚り部５ａを保護壁２３ａの下方へ移動させることができる。他の構成は実施形態１と同様であり説明は省略する。
【００３０】
（実施形態３）
本実施形態のモジュラジャックは図１１に示され、保護壁２３ａの上端部近傍を図１２（ａ），（ｂ），（ｃ）に示す３面テーパ形状に形成したものである。ここで３面テーパ形状とは、撚り部５ａに挿通する際に電線５が接触する保護壁２３ａの上端部近傍を、側壁２３ｊから上端２３ｃへ向かって先細りとなるよう傾斜した３つのテーパ面２３ｆ，２３ｇ，２３ｈから成るテーパ面で形成したもので、従来例の４面テーパ形状に比べてテーパ面の互いの境界部Ｂが少ない。特に本実施形態では保護壁２３ａの上端２３ｃを保護壁２３ａの長手方向の一端側に偏倚させており、図１３に示すように保護壁２３ａの上端２３ｃを撚り部５ａに挿通させた場合（図１３の破線Ａ１）、電線５に接触するテーパ面２３ｆ，２３ｇ，２３ｈの境界部Ｂ１は２箇所であり、次に撚り部５ａを保護壁２３ａの上端２３ｃに当て押え、撚り部５ａが広がった場合でも（図１３の破線Ａ２）、電線５に接触するテーパ面２３ｆ，２３ｇ，２３ｈの境界部Ｂ２は２箇所であり、従来例の４面テーパ形状の４箇所の境界部に比べて、境界部Ｂ１，Ｂ２に接した電線５の絶縁被覆に負担がかかって傷が付く箇所が低減される。
【００３１】
また、電線５，５を端子板２４に接続する際の挿入角度は図１４に示すように、撚り部５ａを、保護壁２３ａの長手方向の一端側を支点として回動させるように挿入する（破線Ｄ１→Ｄ２）。したがって、本実施形態では、保護壁２３ａの上端２３ｃを保護壁２３ａの長手方向の一端側に偏倚して形成することで、電線５，５を端子板２４に接続する際、はじめに保護壁２３ａの上端２３ｃが撚り部５ａに挿通するので撚り部５ａを広げやすい。
【００３２】
なお、他の構成は実施形態１と同様であり説明は省略する。
【００３３】
また実施形態１乃至４のように保護壁２３ａの上端近傍の形状が略楕円錘形状、略円錐形状、略四角錘形状、あるいは略まぶた形状であっても、上記のように保護壁２３ａの上端２３ｃの位置を電線５，５の挿入角度に応じて保護壁２３ａの中心軸から偏倚して形成してもよく、上記同様の効果を得ることができる。
【００３４】
（実施形態４）
本実施形態は図１５（ａ），（ｂ），（ｃ）に示すように、実施形態１で説明した保護壁２３ａの略楕円錘曲面で形成したテーパ面２３ｄを、上端２３ｃを中心とした扇形の平面２３ｉを複数並設させることで周方向に曲面に近似した形状を成すように形成したものであって、この場合は撚り部５ａにかかる負担が分散されるため、絶縁被覆に傷が付くことなく撚り部５ａを保護壁２３ａの下方へ移動させることができる。
【００３５】
（実施形態５）
本実施形態は保護壁２３ａを図１６（ａ），（ｂ），（ｃ）に示すような略円柱体を基礎にした形状に形成し、撚り部５ａに挿通する際に電線５が接触するその上端部近傍を、略円錘曲面のテーパ面２３ｄからなる形状に形成しているもので、実施形態１等と同様に、電線５が接触する箇所には角がないので撚り部５ａには局所的に負担がかかることなくテーパ面２３ｄに沿って自然に広がり、絶縁被覆に傷が付くことなく撚り部５ａを保護壁２３ａの下方へ移動させることができる。他の構成は前述した実施形態と同様であり説明は省略する。
【００３６】
また図１７（ａ），（ｂ），（ｃ）に示すように、保護壁２３ａのテーパ面２３ｄを、上端２３ｃを中心とした扇形の平面２３ｉを複数並設させることで周方向に曲面に近似した形状を成すように形成したものであっても、撚り部５ａにかかる負担は分散されるため、絶縁被覆に傷が付くことなく撚り部５ａを保護壁２３ａの下方へ移動させることができる。
【００３７】
（実施形態６）
本実施形態は保護壁２３ａを図１８（ａ），（ｂ），（ｃ）に示すような略直方体を基礎にした形状に形成し、撚り部５ａに挿通する際に電線５が接触するその上端部近傍を、略四角錘のテーパ面２３ｄからなる形状に形成し、四角錘の全周でなく電線５が接触する四角錘の角部のみをＲ形状としたもので、実施形態１等と同様に、電線５が接触する箇所には角がないので撚り部５ａには局所的に負担がかかることなくテーパ面２３ｄに沿って自然に広がり、絶縁被覆に傷が付くことなく撚り部５ａを保護壁２３ａの下方へ移動させることができる。他の構成は前述した実施形態と同様であり説明は省略する。
【００３８】
さらに、前述したすべての実施形態において上端２３ｃは、作業中に人の手が傷付かないような配慮をした形状、例えば上端を丸めたり、上端部分を尖らせずに平面にする等の形状に形成されている。また、テーパ面２３ｄは少なくとも撚り線の撚り部５ａを広げる際に電線５が接触する部分のみに設ければ前述した各実施形態と同様の効果を得ることができる。
【００３９】
【発明の効果】
請求項１の発明によれば、端子板に一対の絶縁被覆電線を撚った撚り線を接続する時に、撚り線の撚り部を自然に広げることができ、電線に局所的に負担がかかることがなく、電線の絶縁被覆に傷が付きにくいという効果がある。
【００４０】
請求項２の発明によれば、端子板に一対の絶縁被覆電線を撚った撚り線を接続する時に、撚り線の撚り部を自然に広げることができ、電線に局所的に負担がかかることがなく、電線の絶縁被覆に傷が付きにくいという効果がある。
【００４１】
請求項３の発明によれば、突部は端子板に電線を導くガイド部材としても機能して、撚り部を広げる際の作業性を向上させることができるという効果がある。
【００４２】
請求項４の発明によれば、端子板に一対の絶縁被覆電線を撚った撚り線を接続する時に、撚り線の撚り部を自然に広げることができ、電線に局所的に負担がかかることがなく、電線の絶縁被覆に傷が付きにくいという効果がある。
【００４３】
請求項５の発明によれば、平面を用いて曲面と略同様の効果を得ることができるという効果がある。
【００４４】
請求項６の発明によれば、端子板に一対の絶縁被覆電線を撚った撚り線を接続するために撚り部を広げる際、電線への負担が掛かるポイントを減らして、電線の絶縁被覆に傷が付きにくくなるという効果がある。
【００４５】
請求項７の発明によれば、電線の撚り部をより広げやすくなり、作業性をさらに向上させることができるという効果がある。
【図面の簡単な説明】
【図１】本発明の実施形態１を示す斜視図である。
【図２】同上における結線作業の説明図である。
【図３】同上におけるプラグ挿入口近傍を示す斜視図である。
【図４】同上における電線の撚り部を示す図である。
【図５】同上における撚り部の形状を示す図である。
【図６】同上における撚り部の広がりを示す図である。
【図７】（ａ）同上における略楕円形状の保護壁を示す上面図である。
（ｂ）同上における略楕円形状の保護壁を示す前面図である。
（ｃ）同上における略楕円形状の保護壁を示す側面図である。
【図８】同上における略楕円形状の保護壁を示す拡大図である。
【図９】（ａ）本発明の実施形態２におけるまぶた形状の保護壁を示す上面図である。
（ｂ）同上におけるまぶた形状の保護壁を示す前面図である。
（ｃ）同上におけるまぶた形状の保護壁を示す側面図である。
【図１０】同上におけるまぶた形状の保護壁を示す拡大図である。
【図１１】本発明の実施形態３を示す斜視図である。
【図１２】（ａ）同上における３面テーパ形状の保護壁を示す上面図である。
（ｂ）同上における３面テーパ形状の保護壁を示す前面図である。
（ｃ）同上における３面テーパ形状の保護壁を示す側面図である。
【図１３】同上における３面テーパ形状の保護壁を示す拡大図である。
【図１４】同上における撚り線の挿入角度示す図である。
【図１５】（ａ）本発明の実施形態４における複数の平面でテーパ面を構成した略楕円形状の保護壁を示す上面図である。
（ｂ）同上における略楕円形状の保護壁を示す前面図である。
（ｃ）同上における略楕円形状の保護壁を示す側面図である。
【図１６】（ａ）本願発明の実施形態５における略円柱体の保護壁を示す上面図である。
（ｂ）同上における略円柱体の保護壁を示す前面図である。
（ｃ）同上における略円柱体の保護壁を示す側面図である。
【図１７】（ａ）同上における複数の平面でテーパ面を構成した略円柱体の保護壁を示す上面図である。
（ｂ）同上における略円柱体の保護壁を示す前面図である。
（ｃ）同上における略円柱体の保護壁を示す側面図である。
【図１８】（ａ）本願発明の実施形態６における略直方体の保護壁を示す上面図である。
（ｂ）同上における略直方体の保護壁を示す前面図である。
（ｃ）同上における略直方体の保護壁を示す側面図である。
【図１９】従来例１のモジュラジャックを示す要部斜視図である。
【図２０】同上を示す要部斜視図である。
【図２１】従来例２のモジュラジャックを示す要部斜視図である。
【図２２】同上における４面テーパ形状の保護壁を示す拡大図である。
【図２３】同上への結線作業の説明図である。
【図２４】従来例３のモジュラジャックを示す要部斜視図である。
【図２５】従来例２のモジュラジャックへの結線作業の説明図である。
【図２６】同上における撚り線の傷を示す図である。
【符号の説明】
１  ハウジング
２  端子台
４  ツイストペアケーブル
５  電線
５ａ  撚り部
１１ａ  プラグ挿入口
１３  コンタクト
２３，２３ａ  保護壁
２３ｂ  保持溝
２４  端子板
２４ａ  圧接スリット
【図１】
2004327335.tif 000003
【図２】
2004327335.tif 000004
【図３】
2004327335.tif 000005
【図４】
2004327335.tif 000006
【図５】
2004327335.tif 000007
【図６】
2004327335.tif 000008
【図７】
2004327335.tif 000009
【図８】
2004327335.tif 000010
【図９】
2004327335.tif 000011
【図１０】
2004327335.tif 000012
【図１１】
2004327335.tif 000013
【図１２】
2004327335.tif 000014
【図１３】
2004327335.tif 000015
【図１４】
2004327335.tif 000016
【図１５】
2004327335.tif 000017
【図１６】
2004327335.tif 000018
【図１７】
2004327335.tif 000019
【図１８】
2004327335.tif 000020
【図１９】
2004327335.tif 000021
【図２０】
2004327335.tif 000022
【図２１】
2004327335.tif 000023
【図２２】
2004327335.tif 000024
【図２３】
2004327335.tif 000025
【図２４】
2004327335.tif 000026
【図２５】
2004327335.tif 000027
【図２６】
2004327335.tif 000028